(57)【特許請求の範囲】
【請求項１】
扁平に折り畳み可能な消防用ホース本体（１）の、両端部外側に口巻き布（３）が嵌合され、その消防用ホース本体（１）の両端末に接続金具（２）が取り付けられた消防用ホースにおいて、前記口巻き布（３）の軸方向の中央部に、屈曲が容易な易屈曲部を周方向に沿って形成したことを特徴とする、消防用ホース
【請求項２】
前記口巻き布（３）が、柔軟な筒状布（６）の内側の両略半部にそれぞれ屈曲可能な補強体（７ａ、７ｂ）を嵌合してなり、当該両補強体（７ａ、７ｂ）の間に若干の間隔（８）を形成して易屈曲部としたことを特徴とする、請求項１に記載の消防用ホース
【請求項３】
前記口巻き布（３）が、柔軟な筒状布の内側における前記接続金具（２）側の端末から中央部にかけて、屈曲可能な補強体（７）を嵌合してなることを特徴とする、請求項１に記載の消防用ホース
【請求項４】
前記口巻き布（３）が柔軟な筒状布（９）であって、その軸方向の中央部を除いた部分に樹脂加工（１０）を施したものであって、樹脂加工（１０）を施さない部分を易屈曲部としたことを特徴とする、請求項１に記載の消防用ホース
【請求項５】
前記口巻き布（３）がたて糸（１２）とよこ糸（１３）とを筒状に織成してなる屈曲可能な筒状布（１４）であって、その口巻き布（３）の軸方向の中央部における前記よこ糸（３）の打ち込みが他の部分より粗い易屈曲部を構成することを特徴とする、請求項１に記載の消防用ホース
【発明の詳細な説明】
【技術分野】
【０００１】
本発明は消防用ホースに関するものであって、特に消防用ホース本体の両端部の外側に被せて取り付けられる、口巻き布の新規な構造に関するものである。
【背景技術】
【０００２】
一般に消防用ホースの両端部の外側には、消防用ホース本体の保護のために筒状の口巻き布が取り付けられる。
【０００３】
図１は消防用ホースの端末部を示すものであって、消防用ホース本体１の端末に接続金具２が挿入されており、また消防用ホース本体１の端末部の外側には筒状の口巻き布３が嵌合され、当該口巻き布３の外側から針金４を巻きつけて締め付け、消防用ホース本体１と接続金具２とを固定している。
【０００４】
接続金具２の構造や当該接続金具２を消防用ホース本体１に固定する手段は、図１に示すもの以外にも各種の形式のものが使用されているが、いずれの場合にも消防用ホース本体１の端末部には口巻き布３が被せられる。
【０００５】
消防用ホース本体１は、それ自体が円筒形を保持する保形性を有しておらず、通常扁平に折り畳まれた状態で収納されている。そして送水することにより内圧で円筒状に膨らみ、使用後には水を抜くと再度扁平に折り畳まれた状態に戻る。従って消防用ホース本体１は肉厚が薄く柔軟であって、その消防用ホース本体１にパイプ２を取りつけて針金４などで締め付けるため傷つき易い。
【０００６】
またかかる消防用ホースを接続する際には接続金具２の取り付け位置の近傍を足で踏んで接続金具２を上向きとし、そこに次の消防用ホースの接続金具２を結合することが行われる。さらに消防用ホースをコイル状に巻くことにより接続金具２が消防用ホース本体１に当たる。これらのことにより消防用ホースの端末に近い部分は他の部分に比べて傷つき易いので、消防用ホース本体１が傷ついて耐圧性能が低下するのを防止するために、前記口巻き布３が取り付けられるのである。
【０００７】
かかる消防用ホースを火災現場などにおいて使用する際には、複数の消防用ホースを接続してポンプ車から先端にまで水を送り、先端の消防用ホースに取り付けられた放水ノズルから放水して火災を消火する。
【０００８】
そして火災が鎮火した後は消防用ホースの接続を解除して個々の消防用ホースをコイル状に巻き取って撤収するのであるが、個々の消防用ホース内には水が入っているため、その水が路上に流れて作業の障害にならないように、水を側溝などに排出するのであるが、その排出ができるまで一時的に図２に示すように消防用ホースの端末部を折り返しておくことが行われている。
【０００９】
しかしながら前述のように消防用ホース本体１の端末部に口巻き布３が嵌合されており、その口巻き布３を嵌合した個所で折り返すことになるため、口巻き布３により剛直さを増した消防用ホースがその弾力により真っ直ぐに戻ろうとする力が働き、接続金具２の重さのみでは折り返した状態を保持することができず、真っ直ぐに戻って消防用ホース本体１内の水が排出されてしまうことがある。
【００１０】
剛性が低く十分に柔軟な口巻き布３を使用することにより、折り返した状態を維持することもできるが、柔軟な口巻き布３はその強度も弱く、消防用ホース本体１を保護するという本来の目的のためには不十分である。
【先行技術文献】
【特許文献】
【００１１】
【特許文献１】実開昭５５−４５０７０号公報
【特許文献２】実開昭５８−１５８８８０号公報
【発明の概要】
【発明が解決しようとする課題】
【００１２】
本発明はかかる事情に鑑みなされたものであって、口巻き布３に消防用ホース本体１を保護するに十分な強度を維持しつつ、撤収時に一時的に折り返したときに接続金具２の重さによりその折り返し状態を維持することのできる口巻き布３を取りつけた消防用ホースを提供することを目的とするものである。
【課題を解決するための手段】
【００１３】
而して本発明は、扁平に折り畳み可能な消防用ホース本体の、両端部外側に口巻き布が嵌合され、その消防用ホース本体の両端末に接続金具が取り付けられた消防用ホースにおいて、前記口巻き布の軸方向の中央部に、屈曲が容易な易屈曲部を周方向に沿って形成したことを特徴とするものである。
【００１４】
本発明における前記口巻き布としては、柔軟な筒状布の内側の両略半部にそれぞれ屈曲可能な補強体を嵌合してなり、当該両補強体の間に若干の間隔を形成して易屈曲部としたものとすることができる。また前記口巻き布の他の構造としては、柔軟な筒状布の内側における前記接続金具側の端末から中央部にかけて、屈曲可能な補強体を嵌合してなるものとすることもできる。
【００１５】
また口巻き布のさらに他の構造として、前記口巻き布が柔軟な筒状布であって、その軸方向の中央部を除いた部分に樹脂加工を施し、樹脂加工を施さない部分を易屈曲部としたものとすることもできる。
【００１６】
さらに他の構造として、前記口巻き布がたて糸とよこ糸とを筒状に織成してなる屈曲可能な筒状布であって、その口巻き布の軸方向の中央部における前記よこ糸の打ち込みが他の部分より粗い易屈曲部としたものとすることも可能である。
【発明の効果】
【００１７】
本発明によれば、口巻き布の軸方向の中央部に易屈曲部を形成しているので、消防用ホースの端末部を図２に示すように折り返した場合においては、前記易屈曲部において容易に折り曲げることができ、また当該易屈曲部の反発力が小さいために折り返し状態が真っ直ぐに戻ることもない。
【００１８】
また口巻き布における前記易屈曲部以外の個所においては、十分に補強された剛直なものとすることが可能であり、口巻き布によって消防用ホース本体を十分に保護することができる。
【図面の簡単な説明】
【００１９】
【図１】消防用ホースの端末部の側面図
【図２】消防用ホースの端末部を折り返した状態の側面図
【図３】本発明の一例を示す消防用ホースの端末部の半裁側面図
【図４】本発明の他の例を示す消防用ホースの主要部の中央縦断面図
【図５】本発明のさらに他の例を示す消防用ホースの主要部の中央縦断面図
【図６】本発明のさらに他の例を示す消防用ホースの主要部の中央縦断面図
【発明を実施するための形態】
【００２０】
以下本発明を図面に基づいて説明する。図３は本発明の一例を示すものであって、消防用ホース本体１の端末部の外側に口巻き布３が嵌合されており、その消防用ホース本体１の端末に接続金具２の結合筒５が挿入され、前記口巻き布３の外側から針金４で締め付けて固定している。
【００２１】
而してこの例においては、口巻き布３は内外二層になっており、外層は柔軟な筒状布６よりなっており、その筒状布６の内側にはその両端からのそれぞれ略半部に屈曲可能な補強体７ａ、７ｂが嵌合されている。そしてその両補強体７ａ、７ｂの間には若干の間隔８が形成され、当該間隔８が易屈曲部をなしている。
【００２２】
この例によれば、口巻き布３は柔軟な筒状布６の内側に屈曲可能な補強体７ａ、７ｂが嵌合されているので、不使用時には扁平に折り畳んでコイル状に巻くことができると共に、その口巻き布３は十分に消防用ホース本体１を保護している。
【００２３】
そして消防用ホースの使用後に接続金具２の結合を解除してその端末部を図２に示すように折り返したときには、口巻き布３は補強体７ａ、７ｂにより相当程度の剛直性を有しているにも拘らず、間隔８の個所で容易に折り返すことができ、かつその折り返し状態を維持して真っ直ぐに戻ることがない。
【００２４】
次に図４は本発明における口巻き布３の他の例を示すものであって、柔軟な筒状布６の内側における前記接続金具２側の端末から中央部にかけて、屈曲可能な補強体７を嵌合してなるものであって、補強体７の先端が易屈曲部をなしている。
【００２５】
この例においても先の図３の例と同様に、口巻き布３は柔軟な筒状布６の内側に屈曲可能な補強体７が嵌合されているので、不使用時には扁平に折り畳んでコイル状に巻くことができると共に、その口巻き布３は十分に消防用ホース本体１を保護している。
【００２６】
口巻き布３における接続金具２から離れた略半部は補強体７で保護されていないが、消防用ホース本体１における接続金具２の際に近い部分が最も傷つきやすいので、その部分が補強体７で保護されているだけでも十分な保護効果がある。
【００２７】
そして消防用ホースの使用後に接続金具２の結合を解除してその端末部を図２に示すように折り返したときには、口巻き布３は補強体７の先端付近で折り返されることとなり、それより先の部分は柔軟な筒状布６のみであるので容易に折り返すことができると共に、その折り返し状態を維持することができる。
【００２８】
また図５は本発明における口巻き布３のさらに他の例を示すものであって、この例においては口巻き布３は柔軟な筒状布９よりなり、当該筒状布９の軸方向の中央部を除いて樹脂加工１０が施されており、その樹脂加工１０を施していない部分１１が容易に屈曲する易屈曲部をなしている。
【００２９】
この例においては、口巻き布３を構成する筒状布９が易屈曲部１１を除いて樹脂加工１０を施されており、当該樹脂加工１０により筒状布９が補強され、口巻き布３として消防用ホース本体１を有効に保護している。
【００３０】
そしてその樹脂加工１０の中央部に樹脂加工を施されていない易屈曲部１１が形成さているので、口巻き布３はその易屈曲部１１において容易に屈曲することができ、過度に大きい剛性を示すことがない。従って消防用ホースの端末部を図２に示すように折り返したときにおいては、口巻き布３は易屈曲部１１において折れ曲がり、折り返し状態を維持することができるのである。
【００３１】
さらに図６は本発明における口巻き布３のさらに他の例を示すものであって、この例においては口巻き布３は、たて糸１２とよこ糸１３とを筒状に織成した筒状布１４よりなっており、この筒状布１４は消防用ホースの口巻き布として十分な厚さと強度とを有している。
【００３２】
そしてその筒状布１４における軸方向の中央部に、前記よこ糸１３の打ち込みが他の部分より粗い部分１５が形成されており、当該部分は他の部分より柔軟であって屈曲しやすく、易屈曲部を構成している。
【００３３】
この例においては口巻き布３は筒状布１４自身の厚さと強度により消防用ホース本体１を保護していると共に、消防用ホースの端末部を図２に示すように折り返したときには、前記よこ糸１３の打ち込みの粗い易屈曲部１５において折り返され、折り返し状態が維持される。
【符号の説明】
【００３４】
１  消防用ホース本体
２  接続金具
３  口巻き布
６  筒状布
７  補強体
８  間隔
９  筒状布
１０  樹脂加工
１１、１５  易屈曲部
１２  たて糸
１３  よこ糸
１４  筒状布
【図１】
0005436260.tif 000002
【図２】
0005436260.tif 000003
【図３】
0005436260.tif 000004
【図４】
0005436260.tif 000005
【図５】
0005436260.tif 000006
【図６】
0005436260.tif 000007